(57)【要約】【課題】種々のサイズや数の表示ユニットを取り付けることができ、さらに、取り付ける表示ユニットを縦置きにするか横置きにするかに関わらず取り付けることができる提供する。【解決手段】表示装置１は、表示部１０に複数の表示ユニット２０を連ねて配設してあり、表示ユニット２０を連ねる方向に延びる複数本の固定フレームのみが表示ユニット２０を固定する。【選択図】図１
2014174353.tif 000002
【特許請求の範囲】
【請求項１】
複数の表示ユニットを連ねて配設した表示部を有する表示装置において、
前記表示ユニットは、該表示ユニットを連ねる方向に延びる複数本の固定フレームにのみ固定されていることを特徴とする表示装置。
【請求項２】
前記表示ユニットは、前記固定フレームに螺子止めされ、
前記固定フレームは、前記複数の表示ユニットを縦置きに配設した場合に各表示ユニットを螺子止めするための螺子穴と横置きに配設した場合に各表示ユニットを螺子止めするための螺子穴との双方が穿設されていることを特徴とする請求項１に記載の表示装置。
【請求項３】
前記複数の表示ユニットを固定する前記固定フレームは、３本であることを特徴とする請求項２に記載の表示装置。
【請求項４】
前記３本の固定フレームは、前記表示ユニットの相対する側縁付近を固定する２本の側縁固定フレームと、該２本の側縁固定フレームの中間で前記表示ユニットを固定する１本の中間固定フレームであることを特徴とする請求項３に記載の表示装置。
【請求項５】
前記側縁固定フレームおよび前記中間固定フレームは、これら双方に穿設された螺子穴が穿設されている同一の固定フレームであることを特徴とする請求項４に記載の表示装置。
【請求項６】
前記固定フレームは、所定数の前記表示ユニットを取り付けるための全長を有し、
前記所定数の表示ユニットよりも少ない数の表示ユニットを取り付ける場合に前記固定フレームの全長の余った部分または前記表示ユニットを縦置きにした場合と横置きにした場合とで生じる前記固定フレームの全長の余った部分を埋めるために取り付けるスペーサ板を有することを特徴とする請求項１から５のいずれか一項に記載の表示装置。
【発明の詳細な説明】
【技術分野】
【０００１】
本発明は、複数の表示ユニットを連ねて配設した表示部を有する表示装置に関する。
【背景技術】
【０００２】
従来の表示装置として、例えば表示ユニットとしてＬＥＤユニットを使用したもので鉄道車両に取り付けられているものが有る。その表示装置には、急行や各駅停車等の列車の種類を表示するものや行き先表示をするものが有る。
【０００３】
このような表示装置は、ＬＥＤユニットのサイズや使用する数ごとに取付板を設計していた。また、取付ピッチもまちまちであるため完全にカスタム設計を行っていた。この結果、設計工数、製作工数が異なるのでコストが嵩むものとなっていた。
【０００４】
また、表示ユニットの取り付けに取付板を用いない表示装置としては、例えば特許文献１に示すようなものがある。
すなわち、マトリクス状に配置された多数の表示ユニットを平行に配置された梁状部材に連結金具を直交して取り付けたものに複数の表示ユニットを取り付けたものである。この表示装置では、平行に配置された２本の梁状部材には、２つで一組を成す連結金具が複数取り付けられている。この一組の連結金具それぞれには、横置きにした表示ユニットが縦に３つ並べた状態で取り付けられている。
【先行技術文献】
【特許文献】
【０００５】
【特許文献１】特開２００５−３７８０５号公報
【発明の概要】
【発明が解決しようとする課題】
【０００６】
しかしながら、このような従来の技術でも、表示ユニットのサイズや使用される数、表示ユニットを横置きに配設するのか縦置きに配設するのかによって連結金具を設計しなければならないという問題点があった。
【０００７】
本発明は、このような従来の技術が有する問題点に着目してなされたもので、種々のサイズや数の表示ユニットを取り付けることができ、さらに、取り付ける表示ユニットを縦置きにするか横置きにするかに関わらず取り付けることができる表示装置を提供することを目的としている。
【課題を解決するための手段】
【０００８】
前述した目的を達成するための本発明の要旨とするところは、次の各項の発明に存する。
［１］複数の表示ユニット（２０）を連ねて配設した表示部（１０）を有する表示装置（１）において、
前記表示ユニット（２０）は、該表示ユニット（２０）を連ねる方向に延びる複数本の固定フレームにのみ固定されていることを特徴とする表示装置（１）。
【０００９】
［２］前記表示ユニット（２０）は、前記固定フレームに螺子止めされ、
前記固定フレームは、前記複数の表示ユニット（２０）を縦置きに配設した場合に各表示ユニット（２０）を螺子止めするための螺子穴と横置きに配設した場合に各表示ユニット（２０）を螺子止めするための螺子穴との双方が穿設されていることを特徴とする［１］に記載の表示装置（１）。
【００１０】
［３］前記複数の表示ユニット（２０）を固定する前記固定フレームは、３本であることを特徴とする［２］に記載の表示装置（１）。
【００１１】
［４］前記３本の固定フレームは、前記表示ユニット（２０）の相対する側縁付近を固定する２本の側縁固定フレーム（３１）と、該２本の側縁固定フレーム（３１）の中間で前記表示ユニット（２０）を固定する１本の中間固定フレーム（３２）であることを特徴とする［３］に記載の表示装置（１）。
【００１２】
［５］前記側縁固定フレーム（３１）および前記中間固定フレーム（３２）は、これら双方に穿設された螺子穴が穿設されている同一の固定フレームであることを特徴とする［４］に記載の表示装置（１）。
【００１３】
［６］前記固定フレームは、所定数の前記表示ユニット（２０）を取り付けるための全長を有し、
前記所定数の表示ユニット（２０）よりも少ない数の表示ユニット（２０）を取り付ける場合に前記固定フレームの全長の余った部分または前記表示ユニット（２０）を縦置きにした場合と横置きにした場合とで生じる前記固定フレームの全長の余った部分を埋めるために取り付けるスペーサ板を有することを特徴とする［１］から［５］のいずれか一つに記載の表示装置（１）。
【００１４】
前記本発明は次のように作用する。
項［１］の表示装置（１）は、表示部（１０）を構成する複数の表示ユニット（２０）が該表示ユニット（２０）を連ねる方向に延びる複数本の固定フレームのみに固定されている。これにより、表示ユニット（２０）を取り付けるための取付板等や固定フレームに直交する部材が不要になるので、部品の種類および部品点数を少なくすることができるとともに、固定フレームの間隔を表示ユニット（２０）のサイズに合わせて変えることができるので、種々のサイズや数の表示ユニット（２０）を取り付けることができる。また、表示ユニット（２０）が縦置きの場合および横置きの場合の何れであっても、固定フレームの間隔を表示ユニット（２０）に合わせるだけで、容易に表示ユニット（２０）の固定をすることができきる。
【００１５】
項［２］の表示装置（１）では、表示ユニット（２０）を螺子によって固定フレームに固定する。固定フレームには、複数の表示ユニット（２０）を縦置きに配設した場合に各表示ユニット（２０）を螺子止めするための螺子穴と横置きに配設した場合に各表示ユニット（２０）を螺子止めするための螺子穴との双方が穿設されている。したがって、表示ユニット（２０）が縦置きであっても横置きであってもそれぞれの場合に合った螺子穴を使用して表示ユニット（２０）を固定フレームに螺子止めすることができる。
【００１６】
項［３］の表示装置（１）では、複数の表示ユニット（２０）を固定する固定フレームは、３本であるので、表示ユニット（２０）をサイズにかかわらず、且つ縦置きおよび横置きの何れにかかわらず一列または二列に配設する場合に最少の固定フレームで表示ユニット（２０）を固定することができる。
【００１７】
３本の固定フレームは、［４］の表示装置（１）のように表示ユニット（２０）の相対する側縁付近を固定する２本の側縁固定フレーム（３１）と、この２本の側縁固定フレーム（３１）の中間で表示ユニット（２０）を固定する１本の中間固定フレーム（３２）であるので、表示ユニット（２０）を一列に配設する場合は、表示ユニット（２０）の上下または左右の側縁付近をそれぞれ側縁固定フレーム（３１）に固定し、各表示ユニット（２０）の中央を中間固定フレーム（３２）に固定すればよい。
【００１８】
また、表示ユニット（２０）を二列に配設する場合は、二列に配設した表示ユニット（２０）全体の上下または左右の側縁付近をそれぞれ側縁固定フレーム（３１）に固定し、表示ユニット（２０）が連なって延びる方向の中央部で、すなわち二列の表示ユニット（２０）が合わさる部分で各列の側縁付近を中間固定フレーム（３２）に固定すればよい。
【００１９】
また、項［５］の表示装置（１）のように、側縁固定フレーム（３１）および中間固定フレーム（３２）を同一の固定フレームとすることにより、複数の異なる固定フレームは不要となる。これにより、部品の製作工数およびコストの低減を図ることができる。
【００２０】
さらに、項［６］の表示装置（１）のように、固定フレームを所定数の表示ユニット（２０）を取り付けるのに適した全長のものとしてあるので、所定数の表示ユニット（２０）を取り付けた表示部（１０）は最適な大きさとなる。また、同じ全長の固定フレームを使用して所定数の表示ユニット（２０）よりも少ない数の表示ユニット（２０）を取り付ける場合には、固定フレームを取り付けた状態で全長の余った部分を埋めるためのスペーサ板を固定フレームの両端部に取り付ければよい。また、同じ所定数の表示ユニット（２０）を縦置きにした場合と横置きにした場合とでは連ねた表示ユニット（２０）の全長に差が生じる。この場合にも固定フレームの全長の余った部分を埋めるために固定フレームの両端部にスペーサ板を取り付ければ良い。
【発明の効果】
【００２１】
本発明に係る表示装置によれば、表示部を構成する複数の表示ユニットを該表示ユニットの連なる方向に延びる複数本の固定フレームのみに固定するので、種々のサイズや数の表示ユニットを取り付けることができる。
【００２２】
さらに、固定フレームを一種類のものに共通化することができるので、部品の種類を少なくすることができ、設計工数や製作工数を減らすことができ、以って製造コストの低減を図ることができる。
【図面の簡単な説明】
【００２３】
【図１】本発明の一実施の形態に係る表示装置の主要部を示す斜視図である。
【図２】本発明の一実施の形態に係る表示装置を正面側から示す斜視図である。
【図３】本発明の一実施の形態に係る表示装置を背面側から示す斜視図である。
【図４】表示ユニットを縦置きにして連ねた状態を示す斜視図である。
【図５】図４の表示ユニットを固定フレームに固定した状態を示す斜視図である。
【図６】図５の中間固定フレームとは異なる形状の中間固定フレームを使用したものを示す斜視図である。
【図７】表示装置の表示部カバーを示す斜視図である。
【図８】表示装置の電源部とコントローラーとを示す斜視図である。
【図９】表示装置の背面を示す斜視図である。
【発明を実施するための形態】
【００２４】
以下、図面に基づき本発明の好適な一実施の形態を説明する。
各図は本発明の一実施の形態を示している。
図１は、本実施の形態に係る表示装置の主要部である表示部を示す斜視図である。図２は、図１の表示部を内蔵した本実施の形態に係る表示装置を正面側から示す斜視図であり、図３は、図２の表示装置を背面側から示す斜視図である。図４は、表示ユニットを縦置きにして連ねた状態を示す斜視図である。図５は、図４の表示ユニットを固定フレームに固定した状態を示す斜視図である。図６は、形状の異なる中間固定フレームを使用した例を示す斜視図である。図７は、図１の表示部を背面から覆った表示部カバーを示す斜視図であり、図８は、表示ユニットを駆動するための電源部とコントローラーとを取り付けた状態を示す斜視図であり、図９は、図８の電源部とコントローラーとを覆う背面カバーを表示部カバーの背面に取り付けた状態を示す斜視図である。
【００２５】
図１に示したように、本実施の形態に係る表示装置１は、表示部１０に複数の表示ユニット２０を連ねて配設したものである。各表示ユニット２０は、複数の発光素子としてＬＥＤを有するものであり、ＬＥＤに代えて有機ＥＬ等を有するものでもよい。
【００２６】
表示部１０は、図７から図９までに示したように表示部カバー１００によって背面側から覆われている。さらに、図８に示したように、表示部カバー１００の背面には、表示部１０を駆動するための電源部４０とコントローラー５０とが取り付けられている。図９に示したように、これら電源部４０とコントローラー５０は背面カバー１１０によって覆われている。表示部カバー１００および背面カバー１１０は金属製の磁性材料である鉄から作られたものである。
【００２７】
このようにして表示部１０を有する表示装置１は、図２および図３に例示したように、車体取付用アダプタ１２０が装着されて鉄道車両に取り付けられる。鉄道車両に取り付けられた場合は、急行や各駅停車等の列車の種類を表示する表示装置や行き先を表示する表示装置として使用される。この場合、例えば各表示ユニット２０は、縦１９２ｍｍ×横９６ｍｍの大きさのものであり、１つの表示ユニット２０には２文字が表示される。したがって、横置きに配設したものの場合は横に２文字を表示することができ、縦置きに配設したものの場合は横方向は１文字で上下方向に２文字を表示することができる。
【００２８】
次に、表示部１０について詳述する。
図４に示したように本実施の形態に係る表示装置１の表示部１０は、表示ユニット２０を縦置きに５つ連ねて配設するものである。表示ユニット２０は、表側に多数のＬＥＤが縦横マトリクス状に配列されている。図示された各表示ユニット２０の裏面側には、配線２０３のコネクタ２１が上部および下部に１つずつ設けられている。
【００２９】
また、下部のコネクタ２１から中央寄りには電源供給用配線のための電源供給コネクタ２２が１つ設けられている。各コネクタ２１の４つの角の付近には、螺子穴が形成された取付ピン２３が一つずつ取り付けられている。また、中央付近の左右の側縁にも取付ピン２３が一つずつ取り付けられている。
【００３０】
図１および図５に示したように、表示ユニット２０は、その上部および下部それぞれが固定フレーム３１，３１に固定されており、中央部が固定フレーム３２に固定されている。これら固定フレーム３１，３１，３２は、アルミ等の金属製である。
【００３１】
連なる表示ユニット２０それぞれの上端の側縁に沿って延びる側縁固定フレーム３１は、各表示ユニット２０の上部に取り付けられた取付ピン２３に螺子止めされている。同様に、各表示ユニット２０の下端の側縁に沿って延びる側縁固定フレーム３１は、各表示ユニット２０の下部に取り付けられた取付ピン２３に螺子止めされている。これら側縁固定フレーム３１は横断面がＬ字状に形成されている。
【００３２】
表示部１０の表示ユニット２０の中央部には、中間固定フレーム３２が表示ユニット２０の連なる方向に延びている。中間固定フレーム３２は、各表示ユニット２０の中央付近に取り付けられた取付ピン２３に螺子止めされている。中間固定フレーム３２は、その長手方向に沿って中央に窪んだ電源供給配線経路３２ａが形成されている。また、中間固定フレーム３２には、電源供給配線経路３２ａ以外のフランジに切欠３２ｂを有している。
【００３３】
電源供給配線経路３２ａは、各表示ユニット２０に電源を供給するための電源供給線２０１を通す部分である。この電源供給線２０１は、ハーネス化されたものが電源供給配線経路３２ａに通されている。切欠３２ｂには、電源供給線２０１から延びて各表示ユニット２０の電源供給コネクタ２２に接続されている電線２０２が結束された状態で通されている。
【００３４】
側縁固定フレーム３１および中間固定フレーム３２に穿設されている螺子穴は、表示ユニット２０を縦置きにしたときに取付ピン２３に螺子止めできる位置と表示ユニット２０を横置きにしたときに取付ピン２３に螺子止めできる位置の双方に穿設されている。なお、取付ピン２３を取り付ける位置を縦置きおよび横置きで共通となるような位置にすることによって、側縁固定フレーム３１および中間固定フレーム３２に穿設する螺子穴も表示ユニット２０を縦置きにする場合と横置きにする場合とで共通化することができる。
【００３５】
また、図６に示したように、中間固定フレーム３２を中間固定フレーム３３に代えることもできる。この中間固定フレーム３３は、断面がコ字状の形状を有する点が中間固定フレーム３２とは異なるが、中間固定フレーム３２と同様の機能を奏する。また、側縁固定フレーム３１に穿設されている螺子穴を穿設して加えておくことにより、側縁固定フレーム３１に代えて側縁固定フレーム３１として使用できることも中間固定フレーム３２と同様である。さらに、中間固定フレーム３２の切欠３２ｂと同様の切欠を設けておいてもよい。
【００３６】
以上のように側縁固定フレーム３１および中間固定フレーム３２または中間固定フレーム３３に固定された表示ユニット２０は、隣同士がそれぞれコネクタ２１に接続された配線２０３によって接続されている。このように構成された表示部１０は、図７に示したように表示部カバー１００が取り付けられている。表示部カバー１００は、正面側が表示部１０の表示ユニット２０を露出するように開放されている。
【００３７】
図７から図９に示した表示部カバー１００の裏面１００ａ側には、電源部４０とコントローラー５０が設けられている。これらは、背面カバー１１０によって覆われ、保護されている。この背面カバー１１０に覆われる位置で電源部４０とコントローラー５０の中間位置には磁石１０１ｂを備えたマグネティックキャッチ１０１が固定されている。
【００３８】
このマグネティックキャッチ１０１は、表示部カバー１００の裏面１００ａに固定されたＬ字形の磁石固定具１０１ａと、該磁石固定具１０１ａが表示部カバー１００の裏面１００ａから立ち上がった起立部分に固定された板状の磁石１０１ｂとから成るものである。表示部カバー１００の裏面１００ａからマグネティックキャッチ１０１の起立部分の先端部までの高さは、背面カバー１１０の奥行きと略同じである。
【００３９】
また、マグネティックキャッチ１０１は、表示部カバー１００に背面カバー１１０を取り付けたときに、背面カバー１１０の側面内側に接する位置に在る。これにより、マグネティックキャッチ１０１は、磁力によって表示部カバー１００と背面カバー１１０とを連結するとともに、背面カバー１１０を表示部カバー１００に向かって押すような力が背面カバー１１０に働いたときに、マグネティックキャッチ１０１の先端が背面カバー１１０を受けるので、背面カバー１１０に覆われた電源部４０やコントローラー５０が背面カバー１１０から圧力を受けて破損することを防止することができる。
【００４０】
表示部カバー１００には、その長手方向の両端付近に取手１０２が固設されている。このように構成された表示装置１は、例えば図２および図３に示した車体取付用アダプタ１２０に装着され、車体取付用アダプタ１２０ごと鉄道車両の所定の表示位置に取り付けられる。
【００４１】
次に本実施の形態に係る表示装置１の作用を説明する。
表示装置１の表示部１０は、５つの表示ユニット２０を縦置きに横に連ねるように構成される。５つの表示ユニット２０は、２本の側縁固定フレーム３１と１本の中間固定フレーム３２に固定される。表示ユニット２０と側縁固定フレーム３１および中間固定フレーム３２との固定は螺子によって行われる。
【００４２】
２本の側縁固定フレーム３１のうち、一本は、連なる表示ユニット２０それぞれの上部に取り付け、もう一本は、表示ユニット２０それぞれの下部に取り付ける。表示ユニット２０それぞれの上部および下部の角付近に取り付けられた取付ピン２３には螺子穴が穿設されているので、その螺子穴と側縁固定フレーム３１に穿設された螺子穴とを合わせて螺子止めすることにより、表示ユニット２０は、所定の位置に固定される。
【００４３】
中間固定フレーム３２は、連なる表示ユニット２０それぞれの中央部に固定する。この固定は、表示ユニット２０それぞれの中央部付近に取り付けられた取付ピン２３に穿設された螺子穴に中間固定フレーム３２に穿設された螺子穴を合わせて螺子止めする。
【００４４】
次に、中間固定フレーム３２の電源供給配線経路３２ａに電源供給線２０１を通し、電源供給線２０１からの電線２０２を各表示ユニット２０の電源供給コネクタ２２に接続する。次に、隣り合う表示ユニット２０の一方のコネクタ２１ともう一方の表示ユニット２０のコネクタ２１とを配線２０３で接続する。このように、表示ユニット２０は、板状に近く高さが僅かな側縁固定フレーム３１および中間固定フレーム３２によって固定されるので、５つの表示ユニット２０を固定した表示部１０の厚さは必要最小限に近い薄さになる。なお、以上の組み立てにおいて、中間固定フレーム３２に代えて中間固定フレーム３３を使用しても同様にして組み立てることができる。
【００４５】
このようにして組み立てられた表示部１０は、次に表示部カバー１００を取り付けられる。表示部カバー１００の正面側の開放された部分から表示部１０を表示部カバー１００の内側に入れる。このとき、表示部１０のＬＥＤが表示部カバー１００の正面側の開放部分から露出する向きに入れる。この状態が図７に示されている。図７には既にコントローラー５０が取り付けられている状態が示されている。
【００４６】
図８に示すように、コントローラー５０の隣に電源部４０を取り付けてから、電源部４０およびコントローラー５０を覆う背面カバー１１０を表示部カバー１００の裏面１００ａ側に取り付ける。背面カバー１１０は螺子によって表示部カバー１００に固定する。
【００４７】
このようにして完成した表示装置１は、図２および図３に示した車体取付用アダプタ１２０に取り付けて鉄道車両に取り付けられる。
なお、表示ユニット２０が縦置き５つではなく縦置き４つである表示装置１の場合には、上記の側縁固定フレーム３１および中間固定フレーム３２あるいは中間固定フレーム３３を使用すると、それらは表示ユニット２０一つ分だけ長さが余ってしまう。
【００４８】
また、表示部カバー１００もサイズが大きくなってしまう。このような場合には、表示ユニット２０一つの幅の半分の幅を有する板状のスペーサ板で余分なスペースを埋めるようにすればよい。これにより、表示ユニット２０を縦置き５枚にした場合と縦置き４枚にした場合とで、全ての部品を共通化することができる。このように本実施の形態によれば、設計工数や製作工数が異なることがないので、コストの低減と製作までの時間の短縮を図ることができる。
【００４９】
また、表示ユニット２０を縦置きではなく横置きに連ねて配設した場合でも、その場合に合わせて側縁固定フレーム３１および中間固定フレーム３２または中間固定フレーム３３には螺子穴が穿設してあるので、それらを使用することができる。この場合、側縁固定フレーム３１および中間固定フレーム３２または中間固定フレーム３３の全長に余分が生じたときには上記のようにスペーサ板を使用して余分なスペースを埋めればよい。
【００５０】
このように、本実施の形態に係る表示装置１によれば、種々のサイズや数の表示ユニット２０を取り付けることができ、さらに、取り付ける表示ユニット２０を縦置きにするか横置きにするかに関わらず取り付けることができる。
【００５１】
前記実施の形態においては、表示ユニット２０の上部および下部を固定する側縁固定フレーム３１と表示ユニット２０の中央を固定する中間固定フレーム３２，３３とを形状の異なるものとして説明したが、側縁固定フレーム３１に中間固定フレーム３２，３３に穿設された螺子穴と同じ位置にも螺子穴を穿設しておくことにより、中間固定フレーム３２，３３に代えて、側縁固定フレーム３１によって表示ユニット２０の中央を固定することができる。
【００５２】
これにより、側縁固定フレーム３１と中間固定フレーム３２，３３を共通化することができるので、部品の種類を減らすことができる。この場合、Ｌ字形の側縁固定フレーム３１の折り曲げられて起こされている部分が下になるように固定することにより、電源供給線２０１を保持させることができる。
【００５３】
また、中間固定フレーム３２，３３に側縁固定フレーム３１に穿設された螺子穴と同じ位置にも螺子穴を穿設しておくことによっても側縁固定フレーム３１と中間固定フレーム３２，３３を共通化することができる。
【００５４】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、表示装置は、鉄道車両の列車の種類表示や行き先表示のための表示に使用されるものに限られることなく、他に例えば、交通関連の表示装置等の屋外に設置しておく表示装置や、建造物に組み込んだ表示装置等、様々な表示装置にも適用することができる。
【産業上の利用可能性】
【００５５】
本発明は、ＬＥＤ等の発光体を用いた複数の表示ユニットを連ねて配設した表示部を有する表示装置であれば広く実施することができる。
【符号の説明】
【００５６】
１…表示装置
１０…表示部
２０…表示ユニット
２１…コネクタ
２２…電源供給コネクタ
２３…取付ピン
３１…側縁固定フレーム
３２…中間固定フレーム
３２ａ…電源供給配線経路
３２ｂ…切欠
３３…中間固定フレーム
４０…電源部
５０…コントローラー
１００…表示部カバー
１００ａ…裏面
１０１…マグネティックキャッチ
１０１ａ…磁石固定具
１０１ｂ…磁石
１０２…取手
１１０…背面カバー
１２０…車体取付用アダプタ
２０１…電源供給線
２０２…電線
２０３…配線
【図１】
2014174353.tif 000003
【図２】
2014174353.tif 000004
【図３】
2014174353.tif 000005
【図４】
2014174353.tif 000006
【図５】
2014174353.tif 000007
【図６】
2014174353.tif 000008
【図７】
2014174353.tif 000009
【図８】
2014174353.tif 000010
【図９】
2014174353.tif 000011